(57)【要約】      （修正有）【課題】直接手に持って使用する財布において、財布が簡単に手から離脱しないように、また、掏摸・ひったくりに盗まれないようにするとともに、財布を持ち運ぶ形態を変更可能とし、安全性とファッション性を兼ね備えたバンド付き財布を提供する。【解決手段】財布本体１を備える財布であって、前記財布本体は、該財布本体の背面部２に設けられた係留部５と、該係留部と所定距離離間する位置に設けられた掛着部６を備え、前記財布は、係留部と掛着部間に掛架された安全バンド３を備え、そして、安全バンドは財布本体より離脱可能とし、安全バンドを係留部と掛着部間に掛架し背面部と安全バンドとの間に指を挿入して財布を持ち運び、また、前記安全バンドを前記掛着部から取外し前記係留部にのみ取付け、安全バンドに手を挿通して財布本体を保持し、財布を持つ形態を２通りにできる。【選択図】図１
0003136839.tif 000002
【実用新案登録請求の範囲】
【請求項１】
正面部と、背面部と内部に形成された収納部とを有する財布本体を備える財布であって、前記財布本体は、該財布本体の背面部に設けられた係留部と、該係留部と所定距離離間する位置に設けられた掛着部を備え、前記財布は、前記係留部と前記掛着部間に掛架された安全バンドを備え、そして、前記安全バンドは、前記財布本体より離脱可能であるとともに、前記係留部もしくは前記掛着部の一方にのみ取付けた状態とすることが可能であることを特徴とする安全バンド付き財布。
【請求項２】
正面部と、背面部と内部に形成された収納部とを有する財布本体を備える財布であって、前記財布本体は、該財布本体の背面部の下端側かつ一方の側部側となる位置に設けられた係留部と、該係留部と所定距離離間するとともに、前記財布本体の背面部の上端側かつ中央側となる位置に設けられた掛着部を備え、前記財布は、前記係留部と前記掛着部間に掛架された安全バンドを備え、そして、前記安全バンドは、前記財布本体より離脱可能であるとともに、前記係留部にのみ取付けた状態とすることが可能であることを特徴とする安全バンド付き財布。
【請求項３】
前記財布は、前記財布本体に前記安全バンドが前記係留部と前記掛着部間に掛架された状態において、前記財布本体の前記係留部が設けられた前記一方の側部側から、前記財布本体と前記安全バンド間に親指を除く４本の指が侵入可能なものとなっている請求項２記載の安全ベルト付き財布。
【請求項４】
前記安全バンドは、帯状バンドであり、かつ、該帯状バンドを開放可能に環状とするためのバックル部を備えている請求項１又は２に記載の安全バンド付き財布。
【請求項５】
前記バックル部は、前記帯状バンドの一端部に設けられた係止金具と、前記帯状バンドの他端部に設けられた長さ調節用の複数の係止孔を有するものである請求項３記載の安全バンド付き財布。
【請求項６】
前記係留部は、一端部が前記財布本体の背面部の下端側かつ一方の側部側となる位置に固定された固定バンドと、該固定バンドの他端側に回動可能に設けられた係留金具とからなるものである請求項１ないし５のいずれかに記載の安全バンド付き財布。
【請求項７】
前記財布本体は、該財布本体の背面部の上部に縫着されるとともに、前記財布本体の横方向に所定長延びる帯状体を備え、かつ、該帯状体の前記財布本体の横方向の中央付近となる位置に設けられ、かつ所定長延びる前記財布本体への非縫着部を備え、前記帯状体の該非縫着部により、前記掛着部が構成されているものである請求項１ないし５のいずれかに記載の安全バンド付き財布。
【請求項８】
前記帯状体の前記非縫着部により構成された前記掛着部と前記係留部間に掛架された安全バンドは、前記非縫着部部分を移動可能な状態で掛架されているものである請求項７に記載の安全バンド付き財布。
【請求項９】
正面部と、背面部と内部に形成された収納部とを有する財布本体を備える財布であって、
前記財布本体は、該財布本体の背面部の下端側かつ一方の側部側となる位置に設けられた係留部と、該係留部と所定距離離間するとともに、前記財布本体の背面部の上端側かつ中央側となる位置に設けられた掛着部を備え、
前記財布は、前記係留部と前記掛着部間に掛架された安全バンドを備え、前記安全バンドは、前記財布本体より離脱可能であるとともに、前記係留部にのみ取付けた状態とすることが可能であり、
前記財布は、前記財布本体に前記安全バンドが前記係留部と前記掛着部間に掛架された状態において、前記財布本体の前記係留部が設けられた前記一方の側部側から、前記財布本体と前記安全バンド間に複数本の指が侵入可能なものとなっており、
前記係留部は、一端部が前記財布本体の背面部の下端側かつ一方の側部側となる位置に固定された固定バンドと、該固定バンドの他端側に回動可能に設けられた係留金具とからなり、
前記財布本体は、該財布本体の背面部の上部に縫着されるとともに、前記財布本体の横方向に所定長延びる帯状体を備え、かつ、該帯状体の前記財布本体の横方向の中央付近となる位置に設けられた所定長延びる前記財布本体への非縫着部を備え、前記帯状体の該非縫着部により、前記掛着部が構成されているものであり、さらに、前記帯状体の前記非縫着部により構成された前記掛着部と前記係留部間に掛架された安全バンドは、前記非縫着部部分を移動可能な状態で掛架されていることを特徴とする安全バンド付き財布。
【請求項１０】
正面部と、背面部と内部に形成された収納部とを有する財布本体を備える財布であって、
前記財布本体は、該財布本体の背面部の下端側かつ一方の側部側となる位置に設けられた係留部と、該係留部と所定距離離間するとともに、前記財布本体の背面部の上端側かつ中央側となる位置に設けられた掛着部を備え、
前記財布は、前記係留部と前記掛着部間に掛架された安全バンドを備え、前記安全バンドは、前記財布本体より離脱可能であるとともに、前記係留部にのみ取付けた状態とすることが可能であり、
前記財布は、前記財布本体に前記安全バンドが前記係留部と前記掛着部間に掛架された状態において、前記財布本体の前記係留部が設けられた前記一方の側部側から、前記財布本体と前記安全バンド間に複数本の指が侵入可能なものとなっており、
前記安全バンドは、帯状バンドであり、かつ、該帯状バンドを開放可能に環状とするためのバックル部を備え、該バックル部は、前記帯状バンドの一端部に設けられた係止金具と、前記帯状バンドの他端部に設けられた長さ調節用の複数の係止孔を有し、
前記係留部は、一端部が前記財布本体の背面部の下端側かつ一方の側部側となる位置に固定された固定バンドと、該固定バンドの他端側に回動可能に設けられた係留金具とからなり、
前記財布本体は、該財布本体の背面部の上部に縫着されるとともに、前記財布本体の横方向に所定長延びる帯状体を備え、かつ、該帯状体の前記財布本体の横方向の中央付近となる位置に設けられた所定長延びる前記財布本体への非縫着部を備え、前記帯状体の該非縫着部により、前記掛着部が構成されているものであり、さらに、前記帯状体の前記非縫着部により構成された前記掛着部と前記係留部間に掛架された安全バンドは、前記非縫着部部分を移動可能な状態で掛架されていることを特徴とする安全バンド付き財布。
【考案の詳細な説明】
【技術分野】
【０００１】
本考案は、財布をハンドバッグや鞄、或いは、ポケット等の中に入れて持ち歩くのではなく、財布を直接手に持って買い物等に使用する安全バンド付き財布に関するものである。
【背景技術】
【０００２】
従来、財布はハンドバッグや鞄、或いは、ポケット等の中に入れて持ち運び、買い物等で支払いをする際、財布を取り出しお金を支払ったりしている。しかし、最近は、財布をハンドバッグや鞄に入れるのではなく、直接財布を手に持って買い物等がされるようになった。
それ故、財布が簡単に手から離脱しないように、また、掏摸・ひったくりから簡単に盗まれないようにする工夫が必要となり、さらに、財布そのものをハンドバッグのように持ち歩くので、使用形態を使用場所・服装等に合わせ変化させる等ファッション性にも配慮が必要となっている。
【０００３】
従来より、財布を直接手に持って買い物等に使用することを前提としたものはないが、財布の盗難を防止する工夫をしたものが提案されており、例えば、 実開平６−２６５３５号公報（特許文献１）、実用新案登録第３０５２０２１号公報（特許文献２）のようなものがある。
【０００４】
【特許文献１】実開平６−２６５３５号公報
【特許文献２】実用新案登録第３０５２０２１号公報
【考案の開示】
【考案が解決しようとする課題】
【０００５】
特許文献１の外国旅行用財布は、財布本体の裏面に縦横に皮、布ゴムなどのバンドを設け手の掌を深くはめることができ、又、手をはめない時は、バンドのたるみを防ぐように、バンドを財布の開口部の上をまたぎ財布の表面に設けたボタンなどで止める構成とし、さらに、財布本体をフックと鎖によりポケットの内部に常につないだ状態としたものが開示されている。
上記の外国旅行用財布は、財布本体の裏面に縦横に皮、布ゴムなどのバンドが設けられ、親指と人差し指の間に横バンドをはめながら、縦バンドに手の掌を深くはめこんで使用するもので、指先が自由になる工夫がされているが、バンドの取付けを変える構造となっていないので、財布の持ち方に変化を持たせることができず、この手の掌をバンドに深くはめこんだ状態で財布を持ち歩くことになりスマートさに欠けるものである。また、掌の甲の高さ（掌の厚み）に対しては調節金具により調節できるが、手の掌の幅の大きさに対応してバンドの取付位置の調整機能がないため、財布が掌にフィットしないおそれがある。さらに、ポケットと財布を鎖でつないでいる構成から、直接財布を手に持って買い物等に使用する場合には不自由であり体裁もよくない。
【０００６】
また、特許文献２の財布、札入れ、がま口等の携帯金銭収納具は、財布本体の裏面に伸縮バンドを財布本体の背面との間に僅かに間隙ができるように財布本体の背面に張り渡し、伸縮バンドに指を挿入するとき物理的な抵抗を実質受けることなく挿入できる程度の張力で張り渡されているものである。
上記の携帯金銭収納具は、４指を財布本体の裏面と伸縮バンドとの間に挿入するものであるが、伸縮バンドの張力が大変に弱いものであるから、常に親指と４指で挟んで意識して保持しないと財布が手から簡単に離脱し、また、盗難を防止する効果も小さいため、一時的に財布をハンドバッグや鞄から取り出して使用する場合は便利であっても、財布を常時手に持って買い物等をする場合には、簡単に手から離脱し、盗難を防ぐ効果も小さいものである。また、伸縮バンドの両端が財布本体の背面に糸で縫いつけられたものであり、財布本体に対し伸縮バンドの取付方を変化させることができず、従って財布の持ち方を変えることができないので、財布を手に持って買い物等をする場合に、ファッション性にも乏しいものである。
【０００７】
本考案は上記の問題点に鑑みて考案されたもので、正面部と、背面部と内部に形成された収納部とを有する財布本体を備える財布において、該財布本体の背面部に係留部と掛着部とを所定距離離間する位置に設け、前記係留部と前記掛着部間に安全バンドを掛架する構成とし、安全バンドを前記係留部と前記掛着部の両者へ掛架し、財布本体の背面部と安全バンドとの間に指を挿入し、財布本体を上下から挟み持つよにして財布を持ち、又は、安全バンドを前記係留部又は前記掛着部の一方にのみ取付け、安全バンドに手首を通して財布を持ち、財布を安全に持ち運びができ、かつ、使用場所・服装にあった持ち方が選択できる安全バンド付き財布を提供することを目的としている。
また、安全バンドの長さを調節でき、また、安全バンドの掛着部への取付において安全バンドを移動可能として、手に財布がフィットした状態で持ち運びができ、財布が簡単に手から離脱したり、簡単に掏摸・ひったくりにより盗られないように調節可能とし、安全性とファッション性の両方を備えた安全バンド付き財布を提供することを目的としている。
【課題を解決するための手段】
【０００８】
上記課題を解決するものは以下のものである。
（１）本考案の安全バンド付き財布は、正面部と、背面部と内部に形成された収納部とを有する財布本体を備える財布であって、前記財布本体は、該財布本体の背面部に設けられた係留部と、該係留部と所定距離離間する位置に設けられた掛着部を備え、前記財布は、前記係留部と前記掛着部間に掛架された安全バンドを備え、そして、前記安全バンドは、前記財布本体より離脱可能であるとともに、前記係留部もしくは前記掛着部の一方にのみ取付けた状態とすることが可能であることを特徴とするものである。
（２）本考案の安全バンド付き財布は、正面部と、背面部と内部に形成された収納部とを有する財布本体を備える財布であって、前記財布本体は、該財布本体の背面部の下端側かつ一方の側部側となる位置に設けられた係留部と、該係留部と所定距離離間するとともに、前記財布本体の背面部の上端側かつ中央側となる位置に設けられた掛着部を備え、前記財布は、前記係留部と前記掛着部間に掛架された安全バンドを備え、そして、前記安全バンドは、前記財布本体より離脱可能であるとともに、前記係留部にのみ取付けた状態とすることが可能であることを特徴とするものである。
【０００９】
（３）前記財布は、前記財布本体に前記安全バンドが前記係留部と前記掛着部間に掛架された状態において、前記財布本体の前記係留部が設けられた前記一方の側部側から、前記財布本体と前記安全バンド間に親指を除く４本の指が侵入可能なものとなっている前記（２）に記載の安全バンド付き財布。
（４）前記安全バンドは、帯状バンドであり、かつ、該帯状バンドを開放可能に環状とするためのバックル部を備えている前記（２）又は（３）に記載の安全バンド付き財布。
（５）前記バックル部は、前記帯状バンドの一端部に設けられた係止金具と、前記帯状バンドの他端部に設けられた長さ調節用の複数の係止孔を有するものである前記（３）に記載の安全バンド付き財布
（６）前記係留部は、一端部が前記財布本体の背面部の下端側かつ一方の側部側となる位置に固定された固定バンドと、該固定バンドの他端側に回動可能に設けられた係留金具とからなるものである前記（１）ないし（５）のいずれかに記載の安全バンド付き財布。
（７）前記財布本体は、該財布本体の背面部の上部に縫着されるとともに、前記財布本体の横方向に所定長延びる帯状体を備え、かつ、該帯状体の前記財布本体の横方向の中央付近となる位置に設けられ、かつ所定長延びる前記財布本体への非縫着部を備え、前記帯状体の該非縫着部により、前記掛着部が構成されているものである前記（１）ないし（５）のいずれかに記載の安全バンド付き財布。
（８）前記帯状体の前記非縫着部により構成された前記掛着部と前記係留部間に掛架された安全バンドは、前記非縫着部部分を移動可能な状態で掛架されているものである前記（７）に記載の安全バンド付き財布。
【００１０】
（９）本考案の安全バンド付き財布は、正面部と、背面部と内部に形成された収納部とを有する財布本体を備える財布であって、
前記財布本体は、該財布本体の背面部の下端側かつ一方の側部側となる位置に設けられた係留部と、該係留部と所定距離離間するとともに、前記財布本体の背面部の上端側かつ中央側となる位置に設けられた掛着部を備え、
前記財布は、前記係留部と前記掛着部間に掛架された安全バンドを備え、前記安全バンドは、前記財布本体より離脱可能であるとともに、前記係留部にのみ取付けた状態とすることが可能であり、
前記財布は、前記財布本体に前記安全バンドが前記係留部と前記掛着部間に掛架された状態において、前記財布本体の前記係留部が設けられた前記一方の側部側から、前記財布本体と前記安全バンド間に複数本の指が侵入可能なものとなっており、
前記係留部は、一端部が前記財布本体の背面部の下端側かつ一方の側部側となる位置に固定された固定バンドと、該固定バンドの他端側に回動可能に設けられた係留金具とからなり、
前記財布本体は、該財布本体の背面部の上部に縫着されるとともに、前記財布本体の横方向に所定長延びる帯状体を備え、かつ、該帯状体の前記財布本体の横方向の中央付近となる位置に設けられた所定長延びる前記財布本体への非縫着部を備え、前記帯状体の該非縫着部により、前記掛着部が構成されているものであり、さらに、前記帯状体の前記非縫着部により構成された前記掛着部と前記係留部間に掛架された安全バンドは、前記非縫着部部分を移動可能な状態で掛架されていることを特徴とするものである。
【００１１】
（１０）本考案の安全バンド付き財布は、正面部と、背面部と内部に形成された収納部とを有する財布本体を備える財布であって、
前記財布本体は、該財布本体の背面部の下端側かつ一方の側部側となる位置に設けられた係留部と、該係留部と所定距離離間するとともに、前記財布本体の背面部の上端側かつ中央側となる位置に設けられた掛着部を備え、
前記財布は、前記係留部と前記掛着部間に掛架された安全バンドを備え、前記安全バンドは、前記財布本体より離脱可能であるとともに、前記係留部にのみ取付けた状態とすることが可能であり、
前記財布は、前記財布本体に前記安全バンドが前記係留部と前記掛着部間に掛架された状態において、前記財布本体の前記係留部が設けられた前記一方の側部側から、前記財布本体と前記安全バンド間に複数本の指が侵入可能なものとなっており、
前記安全バンドは、帯状バンドであり、かつ、該帯状バンドを開放可能に環状とするためのバックル部を備え、該バックル部は、前記帯状バンドの一端部に設けられた係止金具と、前記帯状バンドの他端部に設けられた長さ調節用の複数の係止孔を有し、
前記係留部は、一端部が前記財布本体の背面部の下端側かつ一方の側部側となる位置に固定された固定バンドと、該固定バンドの他端側に回動可能に設けられた係留金具とからなり、
前記財布本体は、該財布本体の背面部の上部に縫着されるとともに、前記財布本体の横方向に所定長延びる帯状体を備え、かつ、該帯状体の前記財布本体の横方向の中央付近となる位置に設けられた所定長延びる前記財布本体への非縫着部を備え、前記帯状体の該非縫着部により、前記掛着部が構成されているものであり、さらに、前記帯状体の前記非縫着部により構成された前記掛着部と前記係留部間に掛架された安全バンドは、前記非縫着部部分を移動可能な状態で掛架されていることを特徴とするものである。
【考案の効果】
【００１２】
本考案の安全バンド付き財布によれば、財布本体の背面部に係留部と掛着部が設けられ、係留部と掛着部に安全バンドを掛架したり、安全バンドの一方のみを係留部又は掛着部に取付けることができるので、前者にあっては、財布本体の背面部と安全バンドとの間に指を挿入し、財布本体を上下から挟み持つことができる。それ故、手を嵌め入れ軽く握り持つ感覚で財布の上下から挟持することができるので、手から財布が簡単に離脱することがなく、掏摸、ひったくりにより容易に盗まれることがない。
また、後者にあっては、安全バンドに手首を挿入して財布を持つことにより同様に手から財布が簡単に離脱したり、簡単に掏摸、ひったくりにより盗まれることがない。
さらに、該財布本体の背面部の下端側かつ一方の側部側となる位置に係留部を設け、該係留部と所定距離離間し、前記財布本体の背面部の上端側かつ中央側となる位置に掛着部を設けたので、係留部と掛着部に掛架される安全バンドが斜めに襷がけされた状態となり、親指を除く４本の指を背面部と安全バンドの間に差し込むと、財布本体を親指と他の指で上下から挟持し易く使い勝手がよい。
【００１３】
本考案の安全バンド付き財布の安全バンドは、帯状バンドであり、バックル部により該帯状バンドを環状にしたり開放し帯状にしたりすることがであるから、簡単に係留部の係留金具や掛着部の帯状体に安全バンドを挿通して掛架でき、安全バンドの前記係留部及び掛着部への着脱が容易にできる。
また、前記バックル部は、係止金具に長さ調節用の複数の係止孔に係止するのみで安全バンドの長さが掌の大きさに合わせて簡単に調節でき、また、帯状体の前記非縫着部により構成された前記掛着部と前記係留部間に掛架された安全バンドは、前記非縫着部部分を移動可能な状態で掛架されるので、掌の幅に合わせて調節もでき、財布本体が手にフィットし、簡単に財布が手から離脱することがなく、また、掏摸、ひったくりから財布を盗まれることも予防できる
さらに、前記係留部は、固定バンドに係留金具が回動可能に設けられているので、安全バンドを該係留金具にのみ挿通して取付ける場合、安全バンドの可動範囲が広く動きがスムーズとなり、安全バンドに手首を通して財布を持ち運びする場合使用勝手がよい。
【００１４】
そして、本考案の安全バンド付き財布は、前記係留部と前記掛着部間に掛架された安全バンドを備え、前記安全バンドは、前記財布本体より離脱可能であるとともに、前記係留部にのみ取付けた状態とすることが可能であるから、安全バンドを前記係留部と前記掛着部間に掛架した状態で、財布本体の背面部と安全バンドの間に手を挿入して財布本体を保持して持ち歩くことができ、また、前記安全バンドの一方を前記掛着部から取外し、安全バンドを係留部による係留のみとすると、安全バンドが係留部を支点として自由に動くので、手又は手首を安全バンドに挿通して財布本体を保持した状態で持ち歩くこともできる。
それ故、財布を持つ形態を２通りに変化することができ、服装や使用する場所等、使用状況に応じて財布の持ち方を変えることができるので、使い勝手が良くファッション性にも優れたものとなる。
【考案を実施するための最良の形態】
【００１５】
本考案の安全バンド付き財布について、図面に示す実施例を用いて説明する。
図１は、本考案の安全バンド付き財布であって安全バンドを係留部と掛着部に掛架した状態の背面側からみた斜視図であり、図２は本考案の安全バンド付き財布であって安全バンドを掛着部から取り外し係留部のみに係留した状態で使用する場合の一部切欠斜視図であり、図３は、本考案の安全バンド付き財布を財布本体の背面部と安全バンドとの間に指を挿入して手に持った状態を示す背面図であり、図４は、本考案の安全バンド付き財布を安全バンドを係留部のみに係留し安全バンドに手を挿通して手に持った状態を示す正面図である。
【００１６】
本考案の財布は、図１に示すように、正面部１ａと、背面部２と、内部に形成された紙幣・硬貨・カード等を収納する収納部１ｂとを有する財布本体１を備え、財布本体１の背面部２の上部から延設され収納部１ｂの上部から前面部１ａを覆う被せ蓋１ｃから構成され、前面部１ａに被せ蓋１ｃをホック、その他の掛金具により財布の開閉ができるようになっている。
前記財布本体１の背面部２には、その下端側かつ一方の側部側となる位置（図１において背面部２の左下隅）に係留部５が備えられている。この係留部５は安全バンド３を係留する輪状の係留金具５ａと該係留金具５ａを取付ける固定バンド５ｂとから構成され、固定バンド５ｂが前記係留金具５ｂの輪の一部を包むようにＵ字状に屈曲してその一端開口側が財布本体１の背面部２に縫着され固定されている。
前記係留金具５ａは上記のように固定バンド５ｂで背面部２に固定されているので、固定バンド５ｂに対し係留金具５ａが回動自在に取付けられ、この係留金具５ａに安全バンド３を挿通して係留できるようになっている。
また、前記財布本体１の背面部２の上部には、前記財布本体１の横方向に背面部２の左端から右端まで延びる帯状体７が縫着して備えられ、その帯状体７の中央付近となる位置に所定の間隔だけ縫着されていない非縫着部７ａが設けられ、該非縫着部７ａに安全バンド３を挿通し掛着できる掛着部６が設けられている。そして、前記掛着部６に安全バンドが帯状体７の非縫着部７ａに対して左右に移動可能な状態で掛着できるようになっている。
【００１７】
前記安全バンド３は帯状バンドからなり、帯状バンドの一端には係止ピン４ｂを備えた係止金具４ａが設けられ、帯状バンドの他端終端部には長さ調節用の複数の係止孔４ｃが穿設され、帯状のバンドを環状にし係止金具４ａにバンド終端部を差し込み、係止孔４ｃに係止ピン４ｂを嵌め入れて係止することができるバックル４を備えている。そして、前記バックル４の開閉により、安全バンド３を環状にしたり帯状にしたりすることにより、前記係留部５及び掛着部６に着脱することができるようになっている。
上記構成のバックル４により、バックル４の開操作により環状の安全バンド３が一本の帯状となり、安全バンド３の終端部が前記係留部５の係留金具５ａに挿入され、また、前記掛着部６の帯状体７の非縫着部７ａと財布本体１の背面部２との間に安全バンド３の終端部が通され、その後再びバックル４の係止金具４ａに安全バンド終端部を挿入し、係止孔４ｃに係止ピン４ｂが嵌め入れられバックル４が閉止され環状の安全バンドとなり、安全バンド３が前記係留部５と前記掛着部６との間に掛架されるようになっている。
【００１８】
前記係留部５と掛着部６の財布本体１の背面部に取付ける間隔は、図３に示すように、係留部５と掛着部６との間に掛架して取付けられた安全バンド３と財布本体１の背面部２との間に親指を除く４本の指を差し込み可能な距離となっている。そして、差し込まれた親指を除く指と親指とにより財布本体１を上下から挟むようにして持ち、財布を持ち運びすることができるものである。
尚、掌の厚さ（高さ）及び掌の幅の大きさに対応して、安全バンド３に備えたバックル４において、係止金具４ａの係止ピン４ｂを係止する係止孔４ｃを選択し長さを調節し、かつ、掛着部６の帯状体７の非縫着部７ａに対し親指を除く４本の指を差し込みながら安全バンドを左右に移動することにより、掌の幅の大きさに容易に合わせることができる。
【００１９】
また、図２に示すように、上記安全バンド３を、前記バックル４を開操作して安全バンド終端部の係止孔４ｃから係止ピン４ｂを抜き係止金具４ａから安全バンドの終端部を引き抜き、次いで安全バンド終端部を、帯状体７の非縫着部７ａと財布本体１の背面部２との間から抜き取ることにより、掛着部６から安全バンド３を離脱することができ、その後、再び前記バックル４を閉操作をすると、安全バンド３の終端部が係止金具４ａに固定され環状になり、安全バンド３は一端が上記係留部５に係留された状態となる。
一端を係留された安全バンド３は、係留金具５ａが回動自在に固定バンド５ｂに取り付けられているので、安全バンド３は係留部５に対し可動範囲が広く動きがスムーズとなり、図４に示すように、環状の安全バンド３の前面側のバンドと背面側のバンドとの間に手又は手首を挿入し、挿入した手で財布本体１を保持し財布を持ち運ぶごとができる。或いは、環状の安全バンド３を手に持って財布本体１を吊り下げた状態で持ち運ぶこともできる。
【００２０】
さらに、環状の安全バンド３を、バックル４の開閉操作を行って、掛着部６からだけでなく、係留部５からも取り外せば、財布本体１は安全バンド３のない通常の財布としても使用することができる。
【００２１】
上記のように、本考案は財布本体の背面部に安全バンドを係留部５と掛着部６に掛架して取付けたので、手を嵌め入れて軽く握る感覚で財布の上下から挟持して持ち運ぶことになり、手から財布が簡単に離脱することがなく、簡単に盗まれることもない。
また、前記安全バンドが、バックルの操作により手の甲の高さに応じた長さに調節でき、また、掛着部において安全バンドが左右に移動できるので、掌の高さ及び幅の大きさにも対応でき、その結果、財布が掌にフィットし持ち易い。
さらに、安全バンドを係留部と掛着部に掛架した状態としたり、安全バンドを係留部による係留のみとすることできる。それ故、財布を持つ形態を２通りに変更できるので、服装や使用する場所等、使用状況に応じて財布を持ち歩く形態を選択することができ、安全性とファッション性を兼ね備え使い勝手が良いものである。
【図面の簡単な説明】
【００２２】
【図１】図１は、本考案の安全バンド付き財布であって安全バンドを係留部と掛着部に掛架した状態の背面側からみた斜視図である。
【図２】図２は、本考案の安全バンド付き財布であって安全バンドを掛着部から取り外し係留部のみに係留した状態で使用する場合の一部切欠斜視図である。
【図３】図３は、本考案の安全バンド付き財布を財布本体の背面部と安全バンドとの間に指を挿入して手に持った状態を示す背面図である。
【図４】図４は、本考案の安全バンド付き財布を安全バンドを係留部のみに係留し安全バンドに手を挿通して手に持った状態を示す正面図である。
【符号の説明】
【００２３】
１    財布本体
２    財布本体の背面部
３    安全バンド
４    バックル
４ａ  係止金具
４ｃ  係止孔
５    係留部
５ａ  係留金具
５ｂ  固定バンド
６    掛着部
７    帯状体
７ａ  帯状体の非縫着部
【図１】
0003136839.tif 000003
【図２】
0003136839.tif 000004
【図３】
0003136839.tif 000005
【図４】
0003136839.tif 000006